(57)【要約】【課題】一般家庭やレストラン等から出る生ゴミは、従来ではゴミ焼却場で焼却するしか処理方法がなく、ゴミ量の増大化が大きな社会問題になっている。【解決手段】生ゴミ混合水Ｑを流下させ得る樋状の主水路２と、主水路２からオーバーフローした軽比重ゴミ混合水Ｑ１を受け入れる第１補助水路３と、主水路２の所定下流域において主水路２の底部に形成した排水穴２４から流出する重比重ゴミ混合水Ｑ２を受け入れる第２補助水路４とを有するとともに、主水路２は、上下に複数段を有する螺旋状に設置し、主水路２中に給水するための給水栓５を備え、主水路２と第１補助水路３と第２補助水路４の各出口に、各ゴミ混合水の中のゴミ成分を分離するための分離装置１２，１３，１４を設けていることにより、生ゴミを主水路２の投入口から水とともに供給するだけで、比重別のゴミ成分に分別し得るようにした。【選択図】      図２
2004305887.tif 000002
【特許請求の範囲】
【請求項１】
生ゴミ混合水（Ｑ）を流下させ得る樋状で且つ一定量の水量を越えると側壁上端からオーバーフローする構成の主水路（２）と、該主水路（２）の下方にあって該主水路（２）からオーバーフローした軽比重ゴミ混合水（Ｑ１）を受け入れる第１補助水路（３）と、前記主水路（２）の所定下流域において主水路（２）の底部に形成した排水穴（２４）から流出する重比重ゴミ混合水（Ｑ２）を受け入れる第２補助水路（４）とを有し、
前記主水路（２）は、上下に複数段を有する螺旋状に設置し、
前記主水路（２）中に給水するための給水栓（５）を備え、
前記主水路（２）と前記第１補助水路（３）と前記第２補助水路（４）の各出口に、該各出口から排出される各ゴミ混合水（Ｑ０，Ｑ１，Ｑ２）の中のゴミ成分（Ｐ０，Ｐ１，Ｐ２）を水から分離するための分離装置（１２，１３，１４）を設けている、
ことを特徴とする生ゴミの比重別分別装置。
【発明の詳細な説明】
【０００１】
【発明の属する技術分野】
本願発明は、一般家庭やレストラン等から出される生ゴミを再資源化するために、該生ゴミを比重（種類）ごとに分別するための生ゴミの比重別分別装置に関するものである。
【０００２】
【発明の背景】
一般家庭やレストラン等で発生する生ゴミは、焼却用ゴミとしてゴミ袋に入れてゴミ出しする。そして、この焼却用ゴミは、ゴミ焼却場に集められて焼却された後、その焼却灰を埋め立てゴミとして最終処理されている。
【０００３】
ところで、生ゴミの発生量は年々増加する傾向にあり、その処理に多大のコストを必要としている。即ち、生ゴミは、一般的に焼却処理されているが、生ゴミを焼却するには大掛かりな処理設備（ゴミ焼却場）が必要であるとともに、毎日多量の燃料（重油）を消費する。
【０００４】
他方、一般家庭やレストラン等から出される焼却用ゴミの中には、食物の生ゴミが多量に含まれている。又、生ゴミは、プラスチック袋に包んでゴミ出しされているが、このプラスチック袋及び生ゴミは、再生利用（リサイクル）可能な各種の有効成分を含んでいる。例えば、プラスチック袋は石油成分であって、プラスチック原料や燃料油として再生可能であり、他方、生ゴミには肥料となる成分を多量に含んでいる。
【０００５】
ゴミ出しされた焼却用ゴミの中には、プラスチック類や肥料成分となる生ゴミ等の再生利用可能成分のほかに、紙片や布片等の再生利用不能な材質の廃棄物も含まれ、さらには小さい金属片やガラス片等の埋め立てゴミも混入していることがある。従って、焼却用ゴミ中の有効成分を再生利用するためには、プラスチック類ごと、あるいは肥料成分となる生ゴミ成分ごとにきれいに分別する必要がある。
【０００６】
【発明が解決しようとする課題】
ところが、焼却用ゴミの中に再生利用し得る有効成分を多量に含んでいても、従来では、再生利用可能な有効成分ごとに分別する設備がないために、焼却用ゴミは焼却場において単に焼却処分するのみであった。
【０００７】
尚、一部の家庭では、家庭から出る生ゴミを特殊容器に入れて発酵させ、堆肥として利用する例が見受けられるが、生ゴミの堆肥化はごく一部の家庭でしか行っていないのが現状である。従って、焼却しないで済む生ゴミ量は全体量のうちのごく微量である。
【０００８】
そこで、本願発明は、上記の問題点に鑑み、毎日大量に出る生ゴミから、再生利用可能な種類の成分を比較的簡単に分別し得るような分別装置を提供することを目的とするものである。
【０００９】
【課題を解決するための手段】
本願発明は、上記課題を解決するための手段として次の構成を有している。尚、本願発明は、毎日大量に収集される焼却用ゴミ（生ゴミ）を、比重によってプラスチック類（軽比重ゴミ）と肥料用ゴミ（中比重ゴミ）と不要な埋め立てゴミ（重比重ゴミ）とに分別し得るようにした生ゴミの比重別分別装置を対象にしている。
【００１０】
そして、本願発明の生ゴミの比重別分別装置は、生ゴミ混合水（生ゴミを水に混合したもの）を流下させ得る樋状の主水路と、該主水路中を流下する生ゴミ混合水の中の軽比重ゴミ混合水を受け入れる第１補助水路と、該主水路中を流下する生ゴミ混合水の中の重比重ゴミ混合水を受け入れる第２補助水路とを有している。尚、中比重ゴミ混合水は、そのまま主水路の出口まで流下する。
【００１１】
主水路は、上下に複数段（例えば３段程度）を有する螺旋状に設置している。この主水路の上端部は、生ゴミの投入口になるものであるが、この投入口には生ゴミを搬送する投入コンベアが接続される。
【００１２】
主水路における、幅、深さ、平面視における直径、傾斜角度、全長等は、生ゴミが水とともにスムーズに流下でき且つ生ゴミが種類（比重）によって水深方向の上層、中層、下層に分離し得るように適宜に設計される。尚、主水路内を生ゴミ混合水が流下する際には、比重の重いゴミ（例えば金属やガラスや砂粒等）は流水中の下層部分（底付近）を流れ、比重の軽いゴミ（例えば紙片やプラスチックシート類等）は流水中の上層部分を流れ、中間比重のゴミ（肥料用ゴミ等）は流水中の中層部分を流れる。
【００１３】
主水路中には、給水栓から給水されるが、この給水栓は、給水量が調節可能なものがよい。又、この給水栓は、少なくとも主水路の最上部にあればよいが、主水路から軽比重ゴミ混合水をオーバーフローさせる必要から、該主水路の長さ方向の複数箇所に補給用の給水栓を設けることが好ましい。尚、本願の生ゴミの比重別分別装置では、大量の水が使用されるが、水源としては例えば下水処理場に集められた水を利用できる。この場合、本願の生ゴミの比重別分別装置は、下水処理場に近い場所に設置し、該下水処理場で浄化処理した処理水をポンプアップして主水路の適所（給水栓）に導く。
【００１４】
主水路は、底壁と左右の側壁を有する樋状に形成されており、主水路中に給水された水量が側壁上端を越えると、上層に浮かんでいる軽比重ゴミとともに水がオーバーフローするようになっている。この主水路の左右側壁は、高さに差をもたせて、低側壁側からのみオーバーフローさせるようにしてもよい。又、主水路からオーバーフローさせる部分は、その側壁の高さを部分的に低くして（上端部を所定高さだけ切り欠いて）、その低くした部分からのみオーバーフローさせるようにしてもよい。
【００１５】
そして、本願では、このオーバーフローする軽比重ゴミ混合水を上記第１補助水路で受け入れ得るようにしている。この第１補助水路は、主水路の下部近傍において該主水路に沿って樋状に設置されている。尚、この第１補助水路は、主水路における軽比重ゴミ混合水がオーバーフローする部分のみの長さ範囲に設置してもよい。
【００１６】
主水路の所定下流域には、該主水路の底部に重比重ゴミ混合水を流出させる排水穴が形成されており、該排水穴の下部に上記第２補助水路が接続されている。尚、主水路底部に形成される排水穴は、主水路の長さ方向に比較的小長さ範囲であり、該排水穴の上を流通するゴミ混合水の大部分（肥料用ゴミを含む中層部分以上）はそのまま排水穴上を通過するようになっている。
【００１７】
主水路と第１補助水路と第２補助水路の各出口には、それぞれ水中のゴミを水から分離するための分離装置を設けている。この各分離装置は、それぞれの水路の出口から分別排出される各ゴミ混合水からそれぞれ水切りして、それぞれのゴミ成分のみを分離するものである。尚、水切りしたゴミ成分は、例えばベルトコンベアによってそれぞれ次の処理場所に搬送される。
【００１８】
主水路の上端部近傍には、作業床が設置され、該作業床上にゴミ出しされたままの袋入り生ゴミがゴミ収集車によって搬入される。
【００１９】
本願発明の生ゴミの比重別分別装置は、主として生ゴミ集積場で使用される。又、本願の生ゴミの比重別分別装置では、水を多量に使用するが、その水は下水処理施設で浄化処理した処理水を使用するとよい。その場合、該処理水をポンプアップして主水路の適所（複数箇所）に設けている給水栓から主水路内に供給するようにする。
【００２０】
他方、主水路の上端部近傍（作業床）には、ゴミ収集車で搬入された袋入り生ゴミが山積みされている。尚、生ゴミは、一般に小袋に入れた状態でその複数個の小袋入り生ゴミを大袋にまとめて入れてゴミ出しされている。
【００２１】
そして、その袋入り生ゴミは、大袋及び小袋（それぞれほとんどがプラスチック袋）を引き裂いて、内部の生ゴミのみを投入コンベア上に供給する一方、プラスチック袋は別の搬送ラインに乗せて所定の工程（例えば水洗い工程）に送られる。尚、投入コンベア上に供給した生ゴミの中には、肥料用に利用できる中比重のゴミ（主として食品廃棄物）のほかに、紙片やプラスチックシート類のような軽比重ゴミ、あるいは金属片やガラス片や砂粒のような重比重ゴミ等が混入している場合が多い。そして、これらの雑多種類が混合している生ゴミは、順次投入コンベアで搬送されて主水路の上端部内（投入口）に投入され、そこに供給されている水に混合されて、生ゴミ混合水となって主水路を流下していく。その際、生ゴミは多量の水で洗われ、生ゴミに付着している調味液等（塩分や油分）が水中に遊離する。
【００２２】
又、主水路を流下する生ゴミ混合水中の各種ゴミ成分は、その比重によって流水中の深さ方向に分離し、重比重ゴミは下層部分、軽比重ゴミは上層部分、中比重ゴミは中層部分、をそれぞれ流下するようになる。そして、上層部分を流れる軽比重ゴミ混合水は、オーバーフロー位置において主水路側から第１補助水路内にオーバーフローし、下層部分を流れる重比重ゴミは途中の排水穴から第２補助水路に流出し、残りの中比重ゴミ混合水（肥料用ゴミ混合水）のみがそのまま主水路内を終端部〓出口）まで流下するようになる。
【００２３】
主水路、第１補助水路、第２補助水路にそれぞれ振り分けられた各混合水は、それぞれの水路の各出口からそれぞれの分離装置上に排出されて、それぞれ水切りされる。尚、主水路の上端部（投入口）には、生ゴミと水が連続して投入され、その生ゴミ混合水が主水路中を流下する途中で、軽比重ゴミ混合水と重比重ゴミ混合水とがそれぞれ第１補助水路と第２補助水路に分離され、主水路、第１補助水路、第２補助水路の各出口から排出されたときに、それぞれ分離装置で水切りされて、比重別の３種類のゴミが自動的に分別される。
【００２４】
主水路側で分別された中比重ゴミ中の多くは、肥料原料として再生利用可能なもの（主として食品廃棄物）であるが、この中比重ゴミの中には肥料に好ましくないもの（不適物）も含まれている場合がある。従って、水切りされた中比重ゴミは、ベルトコンベアで移送させながら、作業員が目視により不適物を排除するようにするとよい。そして、このようにして選別された肥料用ゴミは、所定量集めて肥料製造業者に引き渡す。
【００２５】
第１補助水路側で分別された軽比重ゴミには、プラスチックシート類を多く含んでいる。このプラスチックシート類は再生利用可能なものであるが、紙片等の非プラスチックも含まれており、この軽比重ゴミをプラスチック原料や燃料油等として再生利用する場合には、水切りされた軽比重ゴミをベルトコンベアで移送させながら、作業員が目視により不適物（例えば紙片）を排除する作業を行う。そして、この選別されたプラスチックシート類を、生ゴミを収納していたプラスチック袋（切り裂き、洗浄したもの）と合わせて蓄積し、所定量に達するとプラスチック類の再生利用業者に引き渡す。
【００２６】
第２補助水路側で分別された重比重ゴミは、埋め立てゴミとなるもので、所定量集めた後、埋め立てゴミとして廃棄する。
【００２７】
【発明の効果】
このように、本願発明の生ゴミの比重別分別装置によれば、袋内の生ゴミを取り出して螺旋状の主水路の上端部（投入口）に水とともに供給するだけで、プラスチックシート類を主にしたプラスチック原料となる軽比重ゴミと、肥料用ゴミとなる中比重ゴミと、埋め立てゴミとなる重比重ゴミとに自動的に分別することができる。
【００２８】
従って、本願の生ゴミの比重別分別装置によれば、次のような効果がある。
（１）  従来、焼却処分するしか処理方法がなかった生ゴミを、簡単に（主水路の上端部に生ゴミを投入するだけで）肥料原料やプラスチック原料等として再生利用可能な形態に分別できる。
（２）  生ゴミを肥料原料やプラスチック原料等として再生利用できることにより、焼却処分するゴミ量を減量させることができる。
（３）  生ゴミは、大量の水で水洗しながら各種成分に分別するので、分別された各種のゴミは比較的きれいであり、しかも肥料原料として利用するものには生ゴミに付着していた調味液等（塩分や油分）が除去されているので、肥料に加工するための後処理が少なくてよい。
（４）  主水路を上下に複数段を有する螺旋状に設置しているので、水路長さの割に設置床面積が小さくてよく、この分別装置がコンパクトになる。
【００２９】
【発明の実施の形態】
図１〜図４を参照して本願実施形態の生ゴミの比重別分別装置を説明すると、この実施形態の生ゴミの比重別分別装置は、一般家庭やレストラン等から出される生ゴミから、肥料原料やプラスチック原料として利用可能な有効成分ごとに分別するためのものである。
【００３０】
図１〜図４に示す実施形態の生ゴミの比重別分別装置は、生ゴミＰを水Ｗとともに移送させる主水路２と、該主水路２中を流下する生ゴミ混合水Ｑのうちの軽比重ゴミ混合水Ｑ１を受け入れる第１補助水路３と、該主水路２を流下する生ゴミ混合水Ｑのうちの重比重ゴミ混合水Ｑ２を受け入れる第２補助水路４とを有する複合水路１を備えている。主水路２、第１補助水路３、第２補助水路４は、それぞれ樋状のものが使用されている。
【００３１】
主水路２の上端部は、生ゴミＰの投入口２０となり、この投入口２０の近傍には作業床６が設けられている。この作業床６上には、ゴミ収集車で搬入された袋入り生ゴミＰ′が山積みされる。尚、生ゴミは、一般に小袋に入れた状態でその小袋入り生ゴミを複数個大袋に入れてゴミ出しされている。
【００３２】
又、作業床６上には、生ゴミＰを主水路２の投入口２０まで搬送するための投入コンベア７を設けている。尚、袋入り生ゴミＰ′は、大袋及び小袋（それぞれほとんどがプラスチック袋）を引き裂いて、内部の生ゴミＰのみを投入コンベア７上に供給し、包装袋（プラスチック袋）は別の搬送ラインに乗せて所定の工程（例えば水洗い工程）に送られる。尚、この引き裂いたプラスチック袋は、第１補助水路３内に投入してもよい。
【００３３】
主水路２は、図４に示すように左右の側壁２１，２２と底壁２３とで樋状の水路に形成し、それを上下に複数段を有する螺旋状に設置している。尚、この実施形態では、主水路２は、３回巻よりやや長い螺旋長さを有している。そして、主水路２の螺旋始端部が生ゴミの投入口２０となり、螺旋終端部が中比重ゴミ混合水Ｑ０の出口２ａとなる。
【００３４】
この主水路２の左右各側壁２１，２２は、内周側が高く（高側壁２１）、外周側が低く（低側壁２２）なるように高さに差をもたせている。そして、主水路２内に低側壁２２を越える水量が供給されると、主水路２内を流下する水の一部が図２及び図４に符号Ｑ１で示すように低側壁２２の上端を越えてオーバーフローするようになっている。尚、符号Ｑ１は、後述するように軽比重ゴミＰ１を含む混合水である。
【００３５】
第１補助水路３は、主水路２の下部近傍位置において該主水路２に沿って螺旋状に設置されている。この第１補助水路３は、その内周側の側壁３１が主水路２の内周側側壁（高側壁）２１に連続した状態で一体的に結合されている。尚、第１補助水路３の外周側側壁３２の上端と主水路２の外周側側壁２２の下端との間には適宜間隔の隙間が形成されている。又、第１補助水路３の外周側側壁３２は、主水路２の外周側側壁２２より外側にはみ出しており、主水路２の低側壁２２上端からオーバーフローした軽比重ゴミ混合水を矢印Ｑ１で示すように第１補助水路３内に受け入れ得るようになっている。尚、この実施形態では、第１補助水路３は、主水路２の下部にその上端部分から２回巻よりやや長い範囲で沿わせた後、出口３ａを所定長さだけ斜め下方に延出させている。
【００３６】
主水路２における所定下流域の底部（底壁２３）には、図２及び図４に示すように重比重ゴミ混合水Ｑ２を通過させるための排水穴２４を形成している。この実施形態では、該排水穴２４は主水路２の上端部から１回りよりやや長い位置に形成している。尚、この排水穴２４は、穴径が大き過ぎると、主水路２の下層を流れる重比重ゴミ混合水Ｑ２の外に中層を流れる中比重ゴミ混合水Ｑ０も流出してしまい（正常な分別ができない）、他方、穴径が小さ過ぎると重比重ゴミで目詰まりするおそれがあるので、適当な穴径に設定する必要がある。
【００３７】
そして、上記第２補助水路４は、その上端を排水穴２４の下部に接続した状態で、出口４ａを所定長さだけ斜め下方に延出させている。
【００３８】
尚、この実施形態では、主水路２、第１補助水路３、第２補助水路４は、それぞれ断面角形の樋状のものを採用しているが、底壁部分が断面円弧状のものを採用してもよい。
【００３９】
主水路２には、適数箇所に給水栓５を配置し、各給水栓５から所定量の水を主水路２内に供給するようになっている。この実施形態では、給水栓５は、主水路２の上端部（投入口２０）と、上端部から半周程度下流側位置と、前記排水穴２４形成位置の下流側近傍位置の３箇所に設置しているが、実際に主水路２中を流れる水量を勘案して給水栓５の設置個数（設置場所）を増減できる。又、各給水栓５，５，５は、バルブ調整によって主水路２の必要領域に亘って所定必要量の水量が確保されるようにそれぞれの給水量が調整される。尚、この各給水栓５，５，５には、下水処理施設に集められた水をポンプアップして供給するので、コストのかからない水を多量に使用することができる。
【００４０】
主水路２、第１補助水路３、第２補助水路４の各出口２ａ，３ａ，４ａからは、それぞれ比重の異なるゴミが混入した各ゴミ混合水（Ｑ０，Ｑ１，Ｑ２）が排出されるが、この各出口２ａ，３ａ，４ａには、それぞれ混合水中のゴミを水から分離するための分離装置１２，１３，１４を設けている。この各分離装置１２，１３，１４は、水透過性を有する（水切り用の）ベルトコンベア１５と、該ベルトコンベア１５を透過した水を受ける水路１６とを有している。そして、各出口２ａ，３ａ，４ａからそれぞれ排出されたゴミ混合水（Ｑ０，Ｑ１，Ｑ２）は、各ベルトコンベア１５で水切りされて、ゴミ成分（Ｐ０，Ｐ１，Ｐ２）のみが各ベルトコンベア１５，１５，１５上を搬送され、透過した水は各水路１６，１６，１６を通って流下するようになっている。尚、各ベルトコンベア１５，１５，１５上には、それぞれ比重ごとに分別された３種類のゴミ成分（Ｐ０，Ｐ１，Ｐ２）が分別されて搬送され、各水路１６，１６，１６内に水切りされた水（汚水）は下水路に排水されて再度浄化処理される。
【００４１】
この実施形態の生ゴミの比重別分別装置は、次のようにして使用する。尚、使用する水Ｗは、下水処理施設に集められた下水（浄化処理水）をポンプアップして各給水栓５，５，５に給水する。他方、作業床６上には、ゴミ収集車で搬入された袋入り生ゴミＰ′が山積みされている。
【００４２】
そして、各給水栓５，５，５から主水路２の適所に水Ｗを供給しながら、袋入り生ゴミＰ′の袋（大袋及び小袋）を引き裂いて、内部の生ゴミＰのみを投入コンベア７上に供給する（該生ゴミＰが主水路２の投入口２０に投入される）。各給水栓５，５，５からの給水量は、主水路２における所定のオーバーフロー位置で軽比重ゴミ混合水Ｑ１がオーバーフローし得るように設定されている。尚、引き裂いた袋（プラスチック袋）は別の搬送ラインに乗せて所定の工程（例えば水洗い工程）に送られる。
【００４３】
ところで、投入コンベア７上に供給した生ゴミＰの中には、肥料用に利用できる中比重（水と同程度の比重）の肥料用ゴミＰ０のほかに、紙片やプラスチックシート類のような軽比重ゴミＰ１、あるいは金属片やガラス片や砂粒のような重比重ゴミＰ２等が混入している場合が多い。そして、これらの雑多種類が混合している生ゴミＰは、順次投入コンベア７で搬送されて主水路２の投入口２０に投入され、そこに供給されている水Ｗに混合され、生ゴミ混合水Ｑとなって主水路２を流下していく。その際、生ゴミＰは多量の水で洗われ、生ゴミに付着している調味液等（塩分や油分）が水中に遊離する。
【００４４】
又、主水路２を流下する生ゴミ混合水Ｑ中の各種ゴミ成分は、その比重によって流水中の水深方向に分離し、重比重ゴミＰ２は下層部分、軽比重ゴミＰ１は上層部分、中比重ゴミＰ０は中層部分、をそれぞれ流下するようになる。そして、上層部分を流れる軽比重ゴミ混合水Ｑ１は、図２及び図４に示すようにオーバーフロー位置において主水路２側から第１補助水路３内にオーバーフロー（符号Ｑ１）し、下層部分を流れる重比重ゴミ混合水Ｑ２は途中の排水穴２４から第２補助水路４に流出し、残りの中比重ゴミ混合水（肥料用ゴミ混合水）Ｑ０のみがそのまま主水路２内を流下するようになる。
【００４５】
このように主水路２、第１補助水路３、第２補助水路４にそれぞれ振り分けられた各混合水（Ｑ０，Ｑ１，Ｑ２）は、それぞれの水路の各出口２ａ，３ａ，４ａから各分離装置１２，１３，１４上に排出されて、それぞれベルトコンベア１５，１５，１５上に各ゴミ成分（Ｐ０，Ｐ１，Ｐ２）が水切りされた状態で残る。
【００４６】
主水路２の投入口２０には、順次同様に生ゴミＰが連続して投入され、その生ゴミ混合水Ｑが主水路２中を流下する途中で、軽比重ゴミ混合水Ｑ１と重比重ゴミ混合水Ｑ２とがそれぞれ第１補助水路３と第２補助水路４に分離され、主水路２、第１補助水路３、第２補助水路４の各出口から排出されたときに、それぞれ分離装置１２，１３，１４で水切りされて、比重別の３種類のゴミ成分Ｐ０，Ｐ１，Ｐ２が自動的に分別される。
【００４７】
ところで、主水路２側で分別された中比重ゴミＰ０中の多くは、肥料原料として再生利用可能なもの（主として食品廃棄物）であるが、この中比重ゴミの中には肥料に好ましくないもの（不適物）も含まれている場合がある。従って、水切りされた中比重ゴミＰ０は、ベルトコンベア１５で移送させながら、作業員が目視により不適物を排除するようにするとよい。そして、この肥料用ゴミＰ０を所定量集めて適当な粒子まで粉砕し、発酵させ、加熱殺菌及び乾燥処理して、リサイクル肥料として製品化する。
【００４８】
他方、第１補助水路３側（分離装置１３のベルトコンベア１５上）で分別された軽比重ゴミＰ１には、プラスチックシート類を多く含んでいる。このプラスチックシート類は再生利用可能なものであるが、紙片等の非プラスチックも含まれている。従って、この軽比重ゴミＰ１をプラスチック原料や燃料油等として再生利用する場合には、水切りされた軽比重ゴミＰ１をベルトコンベア１５で移送させながら、作業員が目視により不適物（例えば紙片）を排除する作業を行う。そして、この選別されたプラスチックシート類を、生ゴミを収納していたプラスチック袋（切り裂き、洗浄したもの）と合わせて蓄積し、乾燥・圧縮し、所定量に達するとプラスチック類の再生利用業者に引き渡す。又、この種のプラスチックシート類は、ほかの大型プラスチック廃棄物と合わせて再生処理業者に引き渡すこともできる。尚、プラスチック類の再生処理業者は、それらの廃棄プラスチックを高温加熱して熱分解させ、油化させたりプラスチック原料にしたりする。
【００４９】
第２補助水路４側（分離装置１４のベルトコンベア１５上）で分別された重比重ゴミＰ２は、金属やガラスや砂粒等で埋め立てゴミとなるものであり、所定量集めた後、埋め立てゴミとして廃棄される。
【００５０】
このように、この実施形態の生ゴミの比重別分別装置によれば、袋内の生ゴミＰを取り出して螺旋状の主水路２の上端部（投入口２０）に水Ｗとともに供給するだけで、プラスチックシート類を主にした軽比重ゴミＰ１と、肥料用ゴミとなる中比重ゴミＰ０と、埋め立てゴミとなる重比重ゴミＰ２とに自動的に分別することができる。従って、従来では、焼却処分するしか処理方法がなかった生ゴミを、本願の生ゴミの種類分別装置により肥料原料やプラスチック原料等として有効利用できるとともに、焼却用ゴミの減量化に大いに寄与できるという機能を有する。
【図面の簡単な説明】
【図１】本願実施形態の生ゴミの比重別分別装置の概略図である。
【図２】図１の生ゴミの比重別分別装置の側面図である。
【図３】図２の平面図である。
【図４】図２のＩＶ−ＩＶ断面図である。
【符号の説明】
１は複合水路、２は主水路、３は第１補助水路、４は第２補助水路、５は給水栓、６は作業床、７は投入コンベア、１２〜１４は分離装置、１５はベルトコンベア、２０は投入口、２４は排水穴、Ｐは生ゴミ、Ｐ０は中比重ゴミ、Ｐ１は軽比重ゴミ、Ｐ２重比重ゴミ、Ｑは生ゴミ混合水、Ｑ０は中比重ゴミ混合水、Ｑ１は軽比重ゴミ混合水、Ｑ２は重比重ゴミ混合水である。
【図１】
2004305887.tif 000003
【図２】
2004305887.tif 000004
【図３】
2004305887.tif 000005
【図４】
2004305887.tif 000006